(57)【要約】【課題】特殊な検証器を使用せずに、複写物か否かを容易に判別できる偽造防止媒体の提供。【解決手段】基材と、第１光学干渉顔料を含有する第１光学干渉層と、第２光学干渉顔料を含有する第２光学干渉層とを含み、第１光学干渉層および第２光学干渉層がパターン状に形成されており、第１光学干渉顔料は、球状のコアと、前記球状のコアを被覆する第１金属酸化物層とを含み、第２光学干渉顔料は、小板状のコアと、前記小板状のコアを被覆する第２金属酸化物層とを含む偽造防止媒体。【選択図】図２
2016040113.tif 000002
【特許請求の範囲】
【請求項１】
基材と、第１光学干渉顔料を含有する第１光学干渉層と、第２光学干渉顔料を含有する第２光学干渉層とを含み、
前記第１光学干渉層および第２光学干渉層がパターン状に形成されており、
前記第１光学干渉顔料は、球状のコアと、前記球状のコアを被覆する第１金属酸化物層とを含み、
前記第２光学干渉顔料は、小板状のコアと、前記小板状のコアを被覆する第２金属酸化物層とを含む
ことを特徴とする偽造防止媒体。
【請求項２】
前記第１光学干渉層のパターンは、前記第２光学干渉層のパターンの逆パターンであり、前記第１光学干渉層のパターンと前記第２光学干渉層のパターンは、目視不可能または視認困難となるように、見当を合わせて形成されていることを特徴とする請求項１に記載の偽造防止媒体。
【請求項３】
前記第１金属酸化物層は、前記第２金属酸化物層と同一の構成を有することを特徴とする請求項１または２に記載の偽造防止媒体
【請求項４】
前記第１光学干渉層中の前記第１光学干渉顔料の濃度は、前記第２光学干渉層中の前記第２光学干渉顔料の濃度より高いことを特徴とする請求項３に記載の偽造防止媒体。
【請求項５】
前記第１光学干渉層中の膜厚は、前記第２光学干渉層中の膜厚より大きいことを特徴とする請求項３に記載の偽造防止媒体。
【請求項６】
前記基材と、前記第１および第２光学干渉層との間に光吸収層をさらに含むことを特徴とする請求項１から５のいずれかに記載の偽造防止媒体。
【請求項７】
前記基材が光吸収性を有することを特徴とする請求項１から５のいずれかに記載の偽造防止媒体。
【発明の詳細な説明】
【技術分野】
【０００１】
本発明は、複写機などによる忠実な複製を防止できる偽造防止媒体に関する。より詳細には、本発明は、構造色の原理によって複写工程において異なる色相を呈する顔料を用いて、複製物に異なる色相を有する所望のパターンを出現させる偽造防止媒体に関する。
【背景技術】
【０００２】
近年、誰でも簡単に紙などに印刷された文字や画像を複写することができる、電子写真技術を利用した複写機が普及してきた。特に、最近のカラーデジタル複写機によれば、原稿と複写物との区別が極めて困難な複写物でさえ容易に作成することができるようになっている。
【０００３】
一般的なカラーデジタル複写機の原理は以下のようである。まず、原稿に光を照射し、反射光をラインセンサで検知する。ラインセンサでは、反射光の強度に応じたデジタル信号を生成し、複写機内のメモリに送信する。このデジタル信号生成過程は、レッド（Ｒ）、グリーン（Ｇ）、ブルー（Ｂ）の３色について行い、それぞれのデジタル信号をメモリに格納する。次に、格納されたデジタル信号に基づいて、レーザ光を感光体ドラムの表面に照射し、イエロー（Ｙ）、マゼンタ（Ｍ）、シアン（Ｃ）、ブラック（Ｂｋ）のトナーを感光体ドラムの上に順次静電吸着させ、これらのトナーを紙などのシート上に順次転写し、転写したトナーを定着させる。これにより、カラーの画像が形成された精巧な複写物を得ることができる。
【０００４】
カラーデジタル複写は便利である反面、これを悪用して有価証券、証書類、入場券、搭乗券などの印刷物などが偽造されるという問題が増加しつつある。このため、容易に複写ができないように、これらの印刷物に複製防止対策を施す種々の提案がなされている。
【０００５】
カラー複写によって得られる複写物の色が、原稿の色と異なるようにする技術が提案されている。たとえば、原稿とされうる有価証券などに非常に淡い色で着色すると、複写物では淡い色の部分が正確に再現できないことを利用した技術が提案されている。また、原稿に大きさの異なる網点を形成しておくことにより、もし複写しても小さい網点の再現性が悪化し、精巧な複写ができないようにした技術が提案されている。また、カラー複写機のトナーにない色（たとえば、緑、紫、橙、金、銀など）を印刷することで複写物の色の再現性が悪化することを利用した技術が提案されている。さらに、人間の視感度が低い波長領域（たとえば、３８０ｎｍ〜４５０ｎｍおよび６５０〜７８０ｎｍの波長領域）に吸収を有する２種類のインキを用いることで、目視による観察では同色に認識されるが、カラー複写機による複写物上では異なる色に再現されるようにした技術が提案されている。
【０００６】
しかしながら、カラーデジタル複写機では、３色に分解されてメモリに格納されたデジタルデータを変更することによって、出力する色を補正することが可能である。現在では、補正によって原稿の色を精巧に再現することが可能になってきており、上記のような技術では偽造を完全に防止することは非常に困難になってきている。
【０００７】
また、印刷物に、カラーデジタル複写機では再現不可能な特殊部分を設ける技術も提案されている。このうち、ホログラム箔などのＯＶＤ（Optical Variable Device）箔を印刷物の表面上に設ける技術はすでに実用化されている。これによれば、ホログラムの銀面が光を鏡面反射するため、ラインセンサに反射光が入射せず、原稿で銀面だった部分が複写物では黒色に再現される。あるいはまた、屈折率の異なるセラミックを含み、適当な膜厚を有する複数の層を積層した特殊な光学薄膜を印刷物の表面上に設ける技術も提案されている。ここで、特殊な光学薄膜の色は、見る角度によって変化する。このような光学薄膜は複写物では得ることができないので、容易に真偽判定が可能である。さらに、この方法で形成された薄膜を細かく砕き、その破片をインキ中に混入して印刷を行い、特殊な光学効果を発揮させる方法も提案されている。
【０００８】
また、特開２００２−９８８２９号公報は、高分子液晶の配向と非配向の違いを利用して真偽を判定する技術を提案している（特許文献１参照）。この提案においては、媒体の一部に、高分子液晶の配向部および非配向部を用いて、潜像を形成する。そして、特殊フィルターを通して潜像を観察することにより、あるいは、特殊フィルターを介して光を照射して潜像を可視化して観察することにより、真偽を判定する。
【０００９】
あるいはまた、特開平１０−２７８４６０号公報は、ランタノイド系化合物の特性を利用した、異なる光源（たとえば、太陽光および蛍光灯）の照明下で異なる色に見えるインキを用いる技術が提案されている（特許文献２参照）。この提案においては、媒体の一部に当該インキによるパターンを形成し、前述の複数の光源下で観察することにより、パターンの相違の有無によって真偽を判定することができる。
【００１０】
しかしながら、これらの技術では、真偽判定のために特殊な検証器（特殊フィルターまたは複数の光源）が必要であり、検証器が無い場合には真偽判定が出来ないという問題点がある。
【先行技術文献】
【特許文献】
【００１１】
【特許文献１】特開２００２−０９８８２９号公報
【特許文献２】特開平１０−２７８４６０号公報
【特許文献３】特公昭４９−４９１７３号公報
【特許文献４】特公昭４３−２５６４４号公報
【発明の概要】
【発明が解決しようとする課題】
【００１２】
本発明は、前記従来の技術の問題点に鑑みてなされた発明であり、特殊な検証器を使用しなくても、複写物か否かを容易に判別できる偽造防止媒体を提供することを目的する。
【課題を解決するための手段】
【００１３】
本発明の偽造防止媒体は、基材と、第１光学干渉顔料を含有する第１光学干渉層と、第２光学干渉顔料を含有する第２光学干渉層とを含み、第１光学干渉層および第２光学干渉層がパターン状に形成されており、第１光学干渉顔料は、球状のコアと、前記球状のコアを被覆する第１金属酸化物層とを含み、第２光学干渉顔料は、小板状のコアと、前記小板状のコアを被覆する第２金属酸化物層とを含むことを特徴とする。ここで、第１光学干渉層のパターンは、第２光学干渉層のパターンの逆パターンであり、第１光学干渉層のパターンと第２光学干渉層のパターンは、目視不可能または視認困難となるように、見当を合わせて形成されていることが望ましい。また、第１金属酸化物層は、第２金属酸化物層と同一の構成を有することが望ましい。さらに、（１）第１光学干渉層中の前記第１光学干渉顔料の濃度は、前記第２光学干渉層中の前記第２光学干渉顔料の濃度より高い、または（２）第１光学干渉層中の膜厚は、第２光学干渉層中の膜厚より大きいのいずれかの特徴を有することが望ましい。本発明の偽造防止媒体は、基材と、第１および第２光学干渉層との間に光吸収層をさらに含んでもよい。あるいはまた、本発明の偽造防止媒体において、基材が光吸収性を有してもよい。
【発明の効果】
【００１４】
上記の構成を採用することによって、本発明の偽造防止媒体のカラーデジタル複写機などによる複写物には、目視で観察できる文字、記号、図形、絵柄、またはマークが出現する。このことによって、複写物であるか否かを、特殊な検証器を使用することなしに、目視で容易に判別することができる。
【図面の簡単な説明】
【００１５】
【図１】肉眼で観察した場合の本発明の偽造防止媒体の上面図である。
【図２】カラーデジタル複写機のデジタル信号生成過程にて観察した場合の本発明の偽造防止媒体の上面図である。
【図３】本発明の偽造防止媒体の断面図である。
【図４】第１光学干渉顔料の断面図である。
【図５】第２光学干渉顔料の断面図である。
【図６】カラーデジタル複写機の画像を取り込む原理を説明するための図である。
【発明を実施するための形態】
【００１６】
図１は、肉眼で観察した場合の本発明の偽造防止媒体の上面図を示し、図２は、カラーデジタル複写機のデジタル信号生成過程にて観察した場合の本発明の偽造防止媒体の上面図を示し、図３は、図１および図２の切断線III−IIIに沿った、本発明の偽造防止媒体の断面図を示す。図１〜図３に示す偽造防止媒体１０は、基材１１と、第１光学干渉層２１および第２光学干渉層２２が設けられた偽造識別領域１２と、基材１１と第１光学干渉層２１および第２光学干渉層２２との間に設けられた光吸収層３０とを含む。
【００１７】
第１光学干渉層２１は、図４に示す、球状のコア５１と、球状のコア５１を被覆する第１金属酸化物層５３とを含む第１光学干渉顔料４１を含む。第２光学干渉層２２は、図５に示す、小板状のコア５２と、小板状のコア５２を被覆する第２金属酸化物層５４とを含む第２光学干渉顔料４２を含む。
【００１８】
図６は、カラーデジタル複写機の画像を取り込む原理を説明するための図である。最初に、偽造防止媒体１０を原稿台（ガラス）６１の上に置き、照明ランプ６２からの光を偽造防止媒体１０に照射する。次いで、偽造防止媒体１０からの反射光が、ミラー６３ａ〜ｃで反射し、レンズ６４を通り、イメージセンサー６５に到達して、デジタル信号に変換される。たとえばイメージセンサー６５の光到達面にカラーフィルタなどを設けることによって、たとえばＲＧＢのカラーデジタル信号を得ることができる。この構成では、観察される偽造防止媒体の色相は、ランプ６２および第１ミラー６３ａの位置および角度に依存し、外乱光による影響が存在しない。これに対して、肉眼で偽造防止媒体を観察する場合には、一般的に多くの外乱光が存在し、それら外乱光の影響下で得られる総体的な色相が観察される。
【００１９】
本発明の偽造防止媒体は、基材１１と、第１光学干渉層２１と、第２光学干渉層２２とを含む。前述のカラーデジタル複写機の画像取り込み方法に鑑みて、第１光学干渉層２１および第２光学干渉層２２は、目視では同じように見え、複製された際に別の色相の複写物が得られる機能を有する。すなわち、目視による観察では、図１に示すように、偽造識別領域１２のみが観察され、第１光学干渉層２１と第２光学干渉層２２とを識別することができない。一方、複製する際のデジタル信号生成過程における観察では、図２に示すように、偽造識別領域１２内で、第１光学干渉層２１のパターンと第２光学干渉層２２のパターンとを識別される。
【００２０】
通常、物体は色素を含有し、種々の色成分を含む通常光を照射された際に、特定の色成分を吸収する。通常の印刷に使用されるイエロー（Ｙ）インキは、含有される色素がＹの補色であるブルー（Ｂ）成分を吸収し、結果としてＹに見える。通常の印刷に使用されるマゼンタ（Ｍ）、シアン（Ｃ）およびブラック（Ｂｋ）インキについても同様である。本発明における第１光学干渉層２１および第２光学干渉層２２は、通常の印刷に使用されるインキでは表現できない色、すなわち光の干渉による色を呈する層である。
【００２１】
また、本発明において、「第１光学干渉層２１および第２光学干渉層２２が目視で同じように見える」とは、角度を変化させて観察する場合に、両層の光沢の差異が存在したとしても、両層の色相の差異が存在しないことを意味する。
【００２２】
本発明の第１光学干渉層２１および第２光学干渉層２２は、文字、記号、図形、絵柄、またはマークのような任意のパターンを有していてもよい。所定のパターンを形成するために、第１光学干渉層２１および第２光学干渉層２２のそれぞれは、複数の不連続な部分から構成されていてもよい。また、第１光学干渉層２１および第２光学干渉層２２からなる偽造識別領域１２は、その中に偽造を識別するための情報が存在することを察知されないように、単純な形状を有することが望ましい。たとえば、偽造識別領域１２は、長方形、正方形、円、楕円などの形状を有することが望ましい。言い換えると、単純な形状を有する偽造識別領域１２を得るために、第１光学干渉層２１および第２光学干渉層２２の一方が文字、記号、図形、絵柄、またはマークのようなパターンを有している場合に、他方がその逆パターンを有し、第１光学干渉層２１および第２光学干渉層２２が見当を合わせて形成されていることが望ましい。すなわち、偽造識別領域１２の一部に第１光学干渉層２１を配置し、偽造識別領域１２内の第１光学干渉層２１が配置されていない区域に第２光学干渉層２２を配置することが望ましい。言い換えると、第１光学干渉層２１も第２光学干渉層２２も存在しない区域が、偽造識別領域１２内に存在しないことが望ましい。
【００２３】
第２光学干渉層２２は、着色剤として第２光学干渉顔料４２を含有する。図５に示すように第２光学干渉顔料４２は、小板状のコア５２と、コア５２を被覆する第２金属酸化物層５４とから構成される。小板状のコア５２は、低屈折率の天然雲母（マイカ）、合成マイカ、ホウ珪酸ガラスなどで構成される。コア５２は、鱗片状の形状を有し、１５０μｍ以下、好ましくは１〜２５μｍの平均粒径を有する。本明細書における粒径は、体積基準の測定法であるレーザー回折・散乱法により測定され。本発明においては、体積分布に基づくメジアン径ｄ５０を平均粒径として用いる。第２金属酸化物層５４は、１種の金属酸化物からなる単一層であってもよいし、複数種の金属酸化物からなる複数層の積層構造を有してもよい。第２金属酸化物層５４は、高屈折率の酸化チタン、酸化鉄、酸化スズなどを含む。望ましくは、第２金属酸化物層５４は、４０〜３００ｎｍの膜厚を有する。第２光学干渉顔料４２は、第２金属酸化物層５４外表面で反射する光と、コア５２と第２金属酸化物層５４との界面で反射する光との干渉によって、有彩色の光を放射する。第２金属酸化物層５４を構成する金属酸化物の屈折率および第２金属酸化物層５４の膜厚を変化させることによって、虹彩色の中の特定の色を強調することができる。
【００２４】
第１光学干渉層２１は、着色剤として第１光学干渉顔料４１を含有する。図４に示すように第１光学干渉顔料４１は、球状のコア５１と、コア５１を被覆する第１金属酸化物層５３とから構成される。球状のコア５１は、シリカ、アルミニウム、ジルコニウムなどで構成される。コア５１は、ビーズ状の形状を有し、１５０μｍ以下、好ましくは０．１〜２５μｍの平均粒径を有する。第１金属酸化物層５３は、１種の金属酸化物からなる単一層であってもよいし、複数種の金属酸化物からなる複数層の積層構造を有してもよい。第１金属酸化物層５３は、高屈折率の酸化チタン、酸化鉄、酸化スズなどを含む。望ましくは、第１金属酸化物層５３は、４０〜３００ｎｍの膜厚を有する。第１光学干渉顔料４１は、第１金属酸化物層５３外表面で反射する光と、コア５２と第１金属酸化物層５３との界面で反射する光との干渉によって、有彩色の光を放射する。第１金属酸化物層５３を構成する金属酸化物の屈折率および第１金属酸化物層５３の膜厚を変化させることによって、虹彩色の中の特定の色を強調することができる。
【００２５】
第１光学干渉層２１および第２光学干渉層２２が目視で同じように見えるために、第１光学干渉顔料４１の第１金属酸化物層５３と、第２光学干渉顔料４２の第２金属酸化物層５４とが、同一の構成を有することが望ましい。第１金属酸化物層５３および第２金属酸化物層５４が単一層で構成される場合、「同一の構成」とは、第１金属酸化物層５３および第２金属酸化物層５４が同一の金属酸化物で構成されることを意味する。第１金属酸化物層５３および第２金属酸化物層５４が複数層の積層構造を有する場合、「同一の構成」とは、第１金属酸化物層５３および第２金属酸化物層５４が、同一の金属酸化物の組み合わせで構成され、金属酸化物の積層順序が同一であることを意味する。
【００２６】
第２光学干渉顔料４２は、中和滴定法または均一沈殿法を用いて形成することができる。以下、第２光学干渉顔料４２を例として光学干渉顔料の調製を説明するが、第１光学干渉顔料４１も同様の方法で調製することができる。
【００２７】
中和滴定法においては、小板状のコア５２を分散させたスラリー中に金属イオンを含有する酸性溶液を一定速度で添加する工程と、一定の温度およびｐＨを保持しながら、塩基性溶液を一定速度で添加して中和反応を起こし、コア５２上に平滑な表面および所望の膜厚を有する第２金属酸化物層５４を形成する工程とを含む。任意選択的に、得られた第２金属酸化物層５４を焼成してもよい。用いることができる金属イオンは、チタン、鉄およびスズのイオンを含む。中和滴定法においては、金属イオンがゆっくりと添加されるため、金属酸化物を形成する反応が低速で進行する。したがって、第２金属酸化物層５４の膜厚の制御が容易である。さらに、第２金属酸化物層５４の膜厚により、第２光学干渉顔料４２の色調が制御できる。たとえば、二酸化チタン、酸化鉄（III）などからなる金属酸化物層の中和滴定法による形成は、特公昭４９−４９１７３号公報に記載されている（特許文献３参照）。
【００２８】
一方、均一沈殿法においては、小板状のコア５２を分散させたスラリー中に、金属化合物を含有する溶液を添加して混合物を得る工程と、得られた混合物を加熱しながら攪拌して金属化合物を加水分解し、コア５２上に所望の膜厚を有する金属酸化物層を形成する工程とを含む。任意選択的に、得られた金属酸化物層を焼成してもよい。必要に応じて、金属化合物を含有する溶液とともに、尿素を添加してもよい。用いることができる金属化合物は、熱による加水分解を起こす、チタン化合物、鉄化合物およびスズ化合物を含む。均一沈殿法においては、出発材料である小板状のコア５２の質量と、溶液中の金属化合物の質量との比によって、得られる第２光学干渉顔料４２の色調が決定される。たとえば、二酸化チタン、酸化鉄（III）などからなる金属酸化物層の均一沈殿法による形成は、特公昭４３−２５６４４号公報に記載されている（特許文献４参照）。
【００２９】
第１光学干渉層２１は、第１光学干渉顔料４１と、用途に応じたインキメジウムとを混合したインキを印刷することによって形成することができる。第２光学干渉層２２は、第２光学干渉顔料４２と、用途に応じたインキメジウムとを混合したインキを印刷することによって形成することができる。第１光学干渉層２１および第２光学干渉層２２の見当を合わせた形成が可能である限りにおいて、任意の公知の印刷法を用いることができる。用いることができる印刷法は、スクリーン印刷法、オフセット印刷法、グラビア印刷法、フレキソ印刷法などを含むが、それらに限定されるものではない。
【００３０】
第１金属酸化物層５３および第２金属酸化物層５４が同一の構成を有する場合、球状のコア５１を有する第１光学干渉顔料４１の発色は、小板状のコア５２を有する第２光学干渉顔料４２の発色よりも弱くなる。小板状のコア５２を有する第２光学干渉顔料４２は被膜中に平行に配向された場合、第２光学干渉顔料４２の各粒子への入射光が一定方向に規則的に反射され、理想的な光沢が得られる。一方、球状のコア５１を有する第１光学干渉顔料４１の場合には、前述の配向による効果が得られない。そのため、第１光学干渉顔料４１を含む第１光学干渉層２１と、第２光学干渉顔料４２を含む第２光学干渉層２２とが目視で同様に見えるためには、（１）第１光学干渉層２１中の第１光学干渉顔料４１の濃度を、第２光学干渉層２２中の第２光学干渉顔料４２の濃度よりも高くする、または（２）２つの層における光学干渉顔料の濃度が同等である場合、第１光学干渉層２１の膜厚を、第２光学干渉層２２の膜厚よりも大きくするなどの手段を採用する必要がある。
【００３１】
光吸収層３０を、基材１１と、第１光学干渉層２１および第２光学干渉層２２との間に設けてもよい。光吸収層３０は、第１光学干渉層２１および第２光学干渉層２２を透過した可視光領域の光を吸収して、第１光学干渉層２１および第２光学干渉層２２の反射光を強調する効果を有する。光吸収層３０は、主成分として、カーボンブラックを含んでもよいが、それに限定されるものではない。光吸収層３０は、望ましくは、第１光学干渉層２１および第２光学干渉層２２の全領域の下に設けられる。しかしながら、第１光学干渉層２１および／または第２光学干渉層２２の一部の領域の下に、光吸収層３０を設けてもよい。光吸収層３０は、任意の公知の印刷法を用いて形成することができる。用いることができる印刷法は、スクリーン印刷法、オフセット印刷法、グラビア印刷法、フレキソ印刷法などを含むが、それらに限定されるものではない。
【００３２】
基材１１は、偽造防止媒体１０の用途に依存して、適当な材料から形成される。たとえば、偽造防止媒体１０がチケットなどの場合には、基材として、上質紙を用いることができる。偽造防止媒体１０が紙幣、有価証券などの場合には、基材として、それら専用の紙を用いることができる。あるいはまた、偽造防止媒体１０がラベルなどの場合には、基材として、タック加工された上質紙、またはコート紙を用いることができる。偽造防止媒体１０がラベルなどの場合、貼り替えを防止する観点から、脆性を有するフィルムを基材１１として用いてもよい。脆性を有するフィルムは、セルロースアセテート、低密度ポリエチレン、ポリスチレン、ポリフェニレンスルフィドのような高結晶性熱可塑性素材を溶液製膜することにより形成することができる。
【００３３】
あるいはまた、光吸収層３０を設けない場合、基材１１が可視光領域の光を吸収して、第１光学干渉層２１および第２光学干渉層２２の反射光を強調してもよい。基材１１の形成に用いる紙またはフィルムに、カーボンブラックなどの黒色の着色剤を導入することによって、可視光吸収性の基材１１を得ることができる。
【００３４】
以上のように、本発明に係る偽造防止媒体１０は、第１光学干渉層２１および第２光学干渉層２２を同時に使用することにより、カラーデジタル複写機での構造色の再現が困難である。なぜなら、カラーデジタル複写機におけるデジタル信号生成過程において、第２光学干渉層２２が目視で観察した際の色相の信号を生成するのに対し、第１光学干渉層２１が目視で観察した際とは異なる色相の信号を生成し、目視で観察したパターンとは異なるパターンを有する複製物が得られるからである。
【００３５】
たとえば、第１光学干渉層２１および第２光学干渉層２２の両方が目視で赤紫色に観察される場合に、複写物では、第１光学干渉層２１に相当する位置が青色となってもよい。別の例においては、第１光学干渉層２１および第２光学干渉層２２の両方が目視で橙色に観察される場合に、複写物では、第１光学干渉層２１に相当する位置が緑色となってもよい。
【実施例】
【００３６】
（実施例１）
最初に、基材１１として上質紙を準備した。基材１１の一部に、スクリーン印刷によって墨インキ（東洋インキ製造株式会社製ＳＳ  ＮＳＡ９１１墨）を印刷し、膜厚２μｍの光吸収層３０を形成した。
【００３７】
次いで、２０重量部の球状の光学干渉顔料と、８０重量部のＳＳ８ＷＡＣワニス（東洋インキ製造株式会社製）とを含む第１インキ組成物を準備した。用いた球状の光学干渉顔料は、５〜２５μｍの粒径を有し、ＴｉＯ２からなり４０〜３００ｎｍの膜厚を有する金属酸化物層を有した。光吸収層３０の上に、スクリーン印刷によって、第１インキ組成物を印刷し、１０μｍの膜厚および「無効」の文字パターンを有する第１光学干渉層２１を形成した。
【００３８】
次いで、１０重量部のＰＥＡＲＬ−ＧＬＡＺＥ（登録商標）ＭＲＢ−１００ＲＦ（本件特許出願人から入手可能）と、９０重量部のＳＳ８ＷＡＣワニス（東洋インキ製造株式会社製）とを含む第２インキ組成物を準備した。用いたＰＥＡＲＬ−ＧＬＡＺＥ（登録商標）ＭＲＢ−１００ＲＦは、５〜２５μｍの粒径を有し、ＴｉＯ２からなり８０〜１４０ｎｍの膜厚を有する金属酸化物層を有した。第１光学干渉層２１に覆われていない光吸収層３０の上に、スクリーン印刷によって、第２インキ組成物を印刷し、１０μｍの膜厚および「無効」の逆パターンを有する第２光学干渉層２２を形成し、偽造防止媒体１０を得た。
【００３９】
得られた偽造防止媒体１０を目視で観察した場合、第１光学干渉層２１および第２光学干渉層２２を識別できず、光吸収層３０の形状に相当するピンク色の偽造識別領域１２のみが観察された。
【００４０】
一方、得られた偽造防止媒体１０をカラーデジタル複写機（株式会社リコー製ｉｍａｇｉｏ  ＭＰ  Ｃ７５００）で複写した場合、偽造識別領域１２内に、第１光学干渉層２１に相当する青色の「無効」の文字パターンと、第２光学干渉層２２に相当するピンク色の「無効」の逆パターンとを有する複製物が得られた。ピンク色の地の中に青色の「無効」の文字が明瞭に表示されているため、複製物であることが容易に判別できた。
【符号の説明】
【００４１】
１０  偽造防止媒体
１１  基材
１２  偽造識別領域
２１  第１光学干渉層
２２  第２光学干渉層
３０  光吸収層
４１  第１光学干渉顔料
４２  第２光学干渉顔料
５１、５２  コア
５３  第１金属酸化物層
５４  第２金属酸化物層
６１  原稿台
６２  照明ランプ
６３ａ、６３ｂ、６３ｃ  ミラー
６４  レンズ
６５  イメージセンサー
【図１】
2016040113.tif 000003
【図２】
2016040113.tif 000004
【図３】
2016040113.tif 000005
【図４】
2016040113.tif 000006
【図５】
2016040113.tif 000007
【図６】
2016040113.tif 000008